(57)【特許請求の範囲】
【請求項１】
コンピュータに、
所定期間の開始時刻から、前記所定期間内の第１の時刻から所定時間が経過した第２の時刻までの期間に消費された電力量の計測値を取得し、
前記所定期間に消費される前記電力量が下回るべき目標値を記憶する記憶部を参照して、前記所定期間と前記期間と前記目標値とに基づいて、前記期間に消費される前記電力量が下回るべき期間目標値を算出し、
前記計測値を取得した場合、前記期間と前記計測値に基づいて、前記第２の時刻以後の予測電力を算出し、
算出した前記期間目標値から前記計測値を減じた値を、算出した前記予測電力から前記目標値に対する前記所定期間の割合を減じた値で除することにより、前記第２の時刻から前記電力量の新たな計測値を取得するまでの時間間隔を算出し、
算出した前記時間間隔を出力する、
処理を実行させることを特徴とする電力制御支援プログラム。
【請求項２】
前記時間間隔を算出する処理は、
前記計測値が前記期間目標値より大きい場合、前記時間間隔を、前記所定時間より短く算出することを特徴とする請求項１に記載の電力制御支援プログラム。
【請求項３】
前記時間間隔を算出する処理は、
前記計測値が前記期間目標値より小さい場合、前記時間間隔を、前記所定時間より長く算出することを特徴とする請求項１に記載の電力制御支援プログラム。
【請求項４】
所定期間の開始時刻から、前記所定期間内の第１の時刻から所定時間が経過した第２の時刻までの期間に消費された電力量の計測値を取得する取得部と、
前記所定期間に消費される前記電力量が下回るべき目標値を記憶する記憶部を参照して、前記所定期間と前記期間と前記目標値とに基づいて、前記期間に消費される前記電力量が下回るべき期間目標値を算出する第１の算出部と、
前記計測値を取得した場合、前記期間と前記計測値に基づいて、前記第２の時刻以後の予測電力を算出する第２の算出部と、
前記第１の算出部によって算出された前記期間目標値から前記計測値を減じた値を、前記第２の算出部によって算出された前記予測電力から前記目標値に対する前記所定期間の割合を減じた値で除することにより、前記第２の時刻から前記電力量の新たな計測値を取得するまでの時間間隔を算出する第３の算出部と、
前記第３の算出部によって算出された前記時間間隔を出力する出力部と、
を有することを特徴とする電力制御支援装置。
【請求項５】
コンピュータが、
所定期間の開始時刻から、前記所定期間内の第１の時刻から所定時間が経過した第２の時刻までの期間に消費された電力量の計測値を取得し、
前記所定期間に消費される前記電力量が下回るべき目標値を記憶する記憶部を参照して、前記所定期間と前記期間と前記目標値とに基づいて、前記期間に消費される前記電力量が下回るべき期間目標値を算出し、
前記計測値を取得した場合、前記期間と前記計測値に基づいて、前記第２の時刻以後の予測電力を算出し、
算出した前記期間目標値から前記計測値を減じた値を、算出した前記予測電力から前記目標値に対する前記所定期間の割合を減じた値で除することにより、前記第２の時刻から前記電力量の新たな計測値を取得するまでの時間間隔を算出し、
算出した前記時間間隔を出力する、
処理を実行することを特徴とする電力制御支援方法。
【発明の詳細な説明】
【技術分野】
【０００１】
本発明は、電力制御支援プログラム、電力制御支援装置、および電力制御支援方法に関する。
【背景技術】
【０００２】
従来、所定期間の消費電力量が、契約電力で決まる電力量や需要家が定めた上限を超えないように監視する技術がある。たとえば、入力される電力パルスによって予測演算の演算周期を可変にすることにより、消費電力量を適切に予測して、消費電力量が契約電力で決まる電力量を超過する恐れのあるときに警報を出力する技術がある。
【０００３】
また、消費電力量が上限を超えそうな場合、一部の電気設備の電源をオフにするといった消費電力を制限する制御を行うことにより、消費電力量の超過を防止する技術がある。関連する技術として、たとえば、上限から消費電力量を引いた残り電力量に基づいて、瞬時電力を算出する時間間隔を変動するものがある。また、消費電力が急速に増加した場合に、電力量を計測する時間間隔を短くする技術がある。また、電力量の変化率を予測し、所定期間の特定の時刻を経過した場合、時間間隔を短縮する技術がある。
【０００４】
また、現時点から所定期間の終了時刻までの時間が多い場合、消費電力量の増加量の平均値となる第１基準値に基づき消費電力量を予測し、現時点から終了時刻までの時間が少ない場合、第１基準値より大きい第２基準値に基づき消費電力量を予測する技術がある。また、発電装置において、所定期間の開始時点から現在までの送電端電力量を計測し、このまま経過した場合の所定期間の終了時点での送電端電力量を予測する技術がある。（たとえば、下記特許文献１〜６を参照。）
【先行技術文献】
【特許文献】
【０００５】
【特許文献１】特開２００２−２７７４９３号公報
【特許文献２】特公平１−５４９３２号公報
【特許文献３】特開２０００−１８４５９０号公報
【特許文献４】特開平２−２２８２１８号公報
【特許文献５】特許第４３４６５８４号公報
【特許文献６】特開２００２−２７６６９号公報
【発明の概要】
【発明が解決しようとする課題】
【０００６】
しかしながら、上述した従来技術において、電力量の消費状況に応じた電力制御を行うためのタイミングを決定することが難しい。たとえば、残り電力量に基づいた時間間隔にて電力制御を行うと、所定期間の前半にて、上限を超えるような電力量が消費された場合、電力使用制限を行うタイミングが遅れてしまう。また、消費電力に基づいた時間間隔にて電力制御を行うと、電力使用制限後では消費電力が緩やかになっており、判断する時間間隔が長くなるため、電力使用制限解除を行うタイミングが遅れてしまう。
【０００７】
本発明は、上述した従来技術による問題点を解消するため、電力量の消費状況に応じた電力制御を行うタイミングを決定できる電力制御支援プログラム、電力制御支援装置、および電力制御支援方法を提供することを目的とする。
【課題を解決するための手段】
【０００８】
上述した課題を解決し、目的を達成するため、本発明の一側面によれば、所定期間の開始時刻から、所定期間内の第１の時刻から所定時間が経過した第２の時刻までの期間に消費された電力量の計測値を取得し、所定期間に消費される電力量が下回るべき目標値を記憶する記憶部を参照して、所定期間と期間と目標値とに基づいて、期間に消費される電力量が下回るべき期間目標値を算出し、算出した期間目標値と計測値と所定時間とに基づいて、第２の時刻から電力量の新たな計測値を取得するまでの時間間隔を算出し、算出した時間間隔を出力する電力制御支援プログラム、電力制御支援装置、および電力制御支援方法が提案される。
【発明の効果】
【０００９】
本発明の一側面によれば、電力量の消費状況に応じた電力制御を行うタイミングを決定できるという効果を奏する。
【図面の簡単な説明】
【００１０】
【図１】図１は、本実施の形態にかかる電力制御支援装置の動作例を示す説明図である。
【図２】図２は、電力制御システムのシステム構成例を示すブロック図である。
【図３】図３は、電力制御支援装置のハードウェアの一例を示すブロック図である。
【図４】図４は、電力量計測値テーブルの記憶内容の一例を示す説明図である。
【図５】図５は、取得時間間隔の算出処理に用いる変数群の例を示す説明図である。
【図６】図６は、電力制御支援装置の機能構成例を示すブロック図である。
【図７】図７は、期間目標値を判断基準とした電力使用制限の一例を示す説明図である。
【図８】図８は、期間目標値を用いた取得時間間隔の算出例を示す説明図である。
【図９】図９は、第１の電力算出処理を用いた取得時間間隔の算出例を示す説明図である。
【図１０】図１０は、第２の電力算出処理を用いた取得時間間隔の算出例を示す説明図である。
【図１１】図１１は、第３の電力算出処理を用いた取得時間間隔の算出例を示す説明図である。
【図１２】図１２は、第４の電力算出処理を用いた取得時間間隔の算出例を示す説明図である。
【図１３】図１３は、電力使用制限と電力使用制限解除が行われるタイミング例を示す説明図である。
【図１４】図１４は、電力制御システムの全体の処理手順の一例を示すフローチャートである。
【図１５】図１５は、取得時間間隔算出処理手順の一例を示すフローチャートである。
【図１６】図１６は、図１５にて示したＴの算出処理（ステップＳ１５０９）の詳細な一例を示すフローチャートである。
【図１７】図１７は、図１５にて示したＴの算出処理（ステップＳ１５０９）の詳細な他の例を示すフローチャートである。
【発明を実施するための形態】
【００１１】
以下に添付図面を参照して、開示の電力制御支援プログラム、電力制御支援装置、および電力制御支援方法の実施の形態を詳細に説明する。
【００１２】
図１は、本実施の形態にかかる電力制御支援装置の動作例を示す説明図である。電力制御支援装置１０１は、所定期間に機器によって消費される電力量が目標値を超えないように機器の電力を制御する装置を支援する装置である。具体的に、電力制御支援装置１０１は、所定期間の開始時刻から、所定期間内の第１の時刻から所定時間が経過した第２の時刻までの期間に消費された電力量の計測値を取得する。取得した計測値と目標値から、電力制御支援装置１０１は、機器を制御するか否かを判定し、第２の時刻から新たな計測値を取得するまでの時間間隔を算出する。
【００１３】
新たな計測値を取得する時間間隔が長すぎる場合、電力使用制限が遅れたり、また、電力使用制限の遅れを避けるため電力使用制限を強くすることにより、利用者の利便性が損なったりしてしまう。さらに、電力使用制限が遅れてしまい、消費電力量が所定期間の電力量の目標値を超えてしまった場合、電力使用の基本料金が上がったり、罰則規定に抵触したりしてしまう。また、新たな計測値を取得する時間間隔が短すぎる場合、計測値を取得するためにかかる通信量が増大してしまう。本実施の形態にかかる電力制御支援装置１０１は、状況に応じた適切な時間間隔を算出する。
【００１４】
以下、所定期間を、「デマンド時限」と称する。また、所定期間の電力量の目標値を、「デマンド値」と称する。また、所定時間を、「取得初期時間」と称する。また、所定時間の間隔を、「取得初期時間間隔」と称する。また、第２の時刻から新たな計測値を取得するまでの時間間隔を、「取得時間間隔」と称する。
【００１５】
グラフ１０２は、電力制御支援装置１０１が取得した電力量の計測値と取得時刻との関係を示した例である。グラフ１０２の横軸は、時刻を示す。グラフ１０２の縦軸は、電力量を示す。点Ｐ＿１〜点Ｐ＿９は、電力制御支援装置１０１が取得した電力量の計測値と計測値の取得時刻との組である。また、Ｐ＿ｎの時刻と電力量を、それぞれ、Ｔ＿ｎ、Ｅ＿ｎ、として示す。ｎは、１以上の整数である。
【００１６】
グラフ１０２の前提として、電力制御支援装置１０１は、デマンド時限を３０分として、開始時刻となる１２：００：００からデマンド時限終了となる終了時刻となる１２：３０：００までの電力量を取得するとする。点Ｐ＿１について、電力制御支援装置１０１は、開始時刻からＴ＿１までの期間に消費される電力量が下回るべき期間目標値Ｅｃ＿１を算出する。電力制御支援装置１０１は、たとえば、期間目標値を、Ｅｃ＿１＝デマンド値／デマンド時限×（Ｔ＿１−開始時刻）にて算出する。このように、電力制御支援装置１０１は、期間目標値を、デマンド時限と、開始時刻から取得時刻までの期間と、デマンド値と、に基づいて、期間目標値を算出する。開始時刻から終了時刻までの各時刻に対応する期間目標値が描く線分を、グラフ１０２では、線分１０３として表している。
【００１７】
続けて、電力制御支援装置１０１は、期間目標値Ｅｃ＿１と、Ｅ＿１と取得初期時間間隔とに基づいて、取得時間間隔を算出する。点Ｐ＿１では、Ｅ＿１が期間目標値Ｅｃ＿１より小さく、余裕がある状況であるため、電力制御支援装置１０１は、取得時間間隔を取得初期時間間隔より長く算出する。
【００１８】
次に、点Ｐ＿３について、電力制御支援装置１０１は、期間目標値Ｅｃ＿３を算出する。さらに、電力制御支援装置１０１は、期間目標値Ｅｃ＿３と、Ｅ＿３と初期取得時間間隔とに基づいて、取得時間間隔を算出する。点Ｐ＿３では、Ｅ＿３が期間目標値Ｅｃ＿３より大きく、細かく計測値を取得したい状態であるため、電力制御支援装置１０１は、取得時間間隔を取得初期時間間隔より短く算出する。また、点Ｐ＿３において、電力制御支援装置１０１は、機器を制御すると判定する。
【００１９】
続けて、点Ｐ＿８について、電力制御支援装置１０１は、期間目標値Ｅｃ＿８を算出する。さらに、電力制御支援装置１０１は、期間目標値Ｅｃ＿８と、Ｅ＿８と取得初期時間間隔とに基づいて、取得時間間隔を算出する。点Ｐ＿８では、Ｅ＿８が期間目標値Ｅｃ＿８より小さくなり、余裕ができた状況であるため、電力制御支援装置１０１は、取得時間間隔を取得初期時間間隔より長く算出する。
【００２０】
このように、電力制御支援装置１０１は、電力量の新たな計測値を取得するまでの時間間隔を、所定期間の目標値に基づく期間目標値および計測値に基づいて算出する。これにより、電力制御支援装置１０１は、取得時刻の状況に応じた細やかな電力制御が可能になる。たとえば、電力制御支援装置１０１は、グラフ１０２にて示すように、電力使用に余裕があるＰ＿１〜Ｐ＿３間、Ｐ８＿Ｐ９間では取得時間間隔を長く算出するとともに、細かく計測したいＰ３〜Ｐ８間では、取得時間間隔を短く算出する。以下、電力制御支援装置１０１について、図２〜図１７にて詳細に説明を行う。
【００２１】
図２は、電力制御システムのシステム構成例を示すブロック図である。電力制御システム２００は、電力制御支援装置１０１と、電力制御装置２０１と、分電盤２０２と、分電盤２０３と、を含む。また、電力制御支援装置１０１、電力制御装置２０１〜分電盤２０３は、ネットワーク２２１にて相互に接続している。また、分電盤２０２および分電盤２０３は、それぞれ、計測器２１１、計測器２１２を有している。
【００２２】
電力制御装置２０１は、電力を消費する機器の電力を制御する装置である。たとえば、電力制御装置２０１は、分電盤２０２または分電盤２０３から電力が供給される機器の電力をオフに設定する。または、電力制御装置２０１は、電力が供給される機器の動作を一部制限して、電力を制御してもよい。一部制限の内容として、たとえば、電力制御装置２０１は、機器が照明であれば、照度を落とすように制御する。機器がエアコンであれば、電力制御装置２０１は、冷房の設定温度を１度上昇させる。
【００２３】
分電盤２０２および分電盤２０３は、電力を消費する機器に電力を供給している。分電盤２０２、分電盤２０３は、たとえば、工場内の機器に電力を供給する。また、計測器２１１および計測器２１２は、電力を消費する機器が消費した電力量を計測する。計測器２１１および計測器２１２は、たとえば、電力に比例して発生させたパルスをカウントすることで電力量を計測する。
【００２４】
なお、電力制御システム２００内に電力制御支援装置１０１がなく、電力制御装置２０１が、電力制御支援プログラムを行うソフトウェアを実行してもよい。また、電力制御支援装置１０１は、計測器を有していてもよい。ネットワーク２２１は、たとえば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットである。
【００２５】
（電力制御支援装置１０１のハードウェア）
図３は、電力制御支援装置のハードウェアの一例を示すブロック図である。図３において、電力制御支援装置１０１は、ＣＰＵ（Ｃｅｎｔｒａｌ  Ｐｒｏｃｅｓｓｉｎｇ  Ｕｎｉｔ）３０１と、ＲＯＭ（Ｒｅａｄ‐Ｏｎｌｙ  Ｍｅｍｏｒｙ）３０２と、ＲＡＭ（Ｒａｎｄｏｍ  Ａｃｃｅｓｓ  Ｍｅｍｏｒｙ）３０３と、を含む。また、電力制御支援装置１０１は、磁気ディスクドライブ３０４と、磁気ディスク３０５と、ＩＦ（Ｉｎｔｅｒｆａｃｅ）３０６と、を含む。また、各部はバス３０７によってそれぞれ接続されている。
【００２６】
ＣＰＵ３０１は、電力制御支援装置１０１の全体の制御を司る演算処理装置である。ＲＯＭ３０２は、ブートプログラムなどのプログラムを記憶する不揮発性メモリである。ＲＡＭ３０３は、ＣＰＵ３０１のワークエリアとして使用される揮発性メモリである。磁気ディスクドライブ３０４は、ＣＰＵ３０１の制御にしたがって磁気ディスク３０５に対するデータのリード／ライトを制御する制御装置である。磁気ディスク３０５は、磁気ディスクドライブ３０４の制御で書き込まれたデータを記憶する不揮発性メモリである。なお、ＲＯＭ３０２、磁気ディスク３０５のいずれかの記憶装置に、実施の形態にかかる電力制御支援プログラムが格納されていてもよい。
【００２７】
ＩＦ３０６は、通信回線を通じて、ネットワーク２２１を介し他の装置に接続される。そして、ＩＦ３０６は、ネットワーク２２１と内部のインターフェースを司り、外部装置からのデータの入出力を制御する。ＩＦ３０６には、たとえばモデムやＬＡＮアダプタなどを採用することができる。
【００２８】
なお、電力制御支援装置１０１の管理者が電力制御支援装置１０１を直接操作する場合、図３には図示していないが、電力制御支援装置１０１は、光ディスクドライブと、光ディスクと、ディスプレイと、キーボードと、マウスと、を有していてもよい。
【００２９】
光ディスクドライブは、ＣＰＵ３０１の制御にしたがって光ディスクに対するデータのリード／ライトを制御する制御装置である。光ディスクは、光ディスクドライブの制御で書き込まれたデータを記憶したり、光ディスクに記憶されたデータをコンピュータに読み取らせたりする。
【００３０】
ディスプレイは、カーソル、アイコンあるいはツールボックスをはじめ、文書、画像、機能情報などのデータを表示する。たとえば、ディスプレイは、ＣＲＴ、ＴＦＴ液晶ディスプレイ、プラズマディスプレイなどを採用することができる。
【００３１】
キーボードは、文字、数字、各種指示などの入力のためのキーを有し、データの入力を行う。また、キーボードは、タッチパネル式の入力パッドやテンキーなどであってもよい。マウスは、カーソルの移動や範囲選択、あるいはウィンドウの移動やサイズの変更などを行う。また、電力制御支援装置１０１は、マウスの代わりとして、ポインティングデバイスとして同様に機能を有するものであれば、トラックボールやジョイスティックなどであってもよい。次に、ＲＡＭ３０３や磁気ディスク３０５といった記憶領域にある、電力量計測値テーブルを説明する。
【００３２】
図４は、電力量計測値テーブルの記憶内容の一例を示す説明図である。電力量計測値テーブル４０１は、時刻ごとの電力量の計測値を記憶するテーブルである。図４に示す電力量計測値テーブル４０１は、レコード４０１−１〜４０１−１４を記憶する。電力量計測値テーブル４０１は、時刻、計測値という２つのフィールドを含む。時刻フィールドには、電力量の計測値を取得した時刻が格納される。また、時刻フィールドには、計測器２１１や計測器２１２が電力量を計測した時刻が格納されてもよい。計測値フィールドには、デマンド時限内での電力量の計測値が格納される。
【００３３】
たとえば、レコード４０１−１は、デマンド時限開始時刻となる１２：００：００にて、電力量の計測値が０［Ｗ時］であることを示す。また、レコード４０１−２は、１２：０１：００にて、電力量の計測値が５０［Ｗ時］であることを示す。
【００３４】
図５は、取得時間間隔の算出処理に用いる変数群の例を示す説明図である。図５では、グラフ５０１を用いて、取得時間間隔の算出処理に用いる変数群の説明を行う。グラフ５０１の横軸は、時刻を示す。グラフ５０１の縦軸は、電力量を示す。
【００３５】
Ｔｄは、デマンド時限を示す。Ｔ＿ｏは、現デマンド時限の開始時刻を示す。Ｔ＿ｎは、現デマンド時限において、ｎ回目の電力量の計測を行った時刻を示す。ｎは、１以上の整数である。ｔ＿ｎは、Ｔ＿ｎ−Ｔ＿ｏを示す。ｔｃは、現時刻が現デマンド時限の序盤か否かを判断する時刻閾値である。Ｔｓは、取得初期時間間隔を示す。たとえば、Ｔｓ＝Ｔ＿１−Ｔ＿ｏとなる。Ｔは、Ｔ＿ｎからの次の電力量の計測時刻までの取得時間間隔を示す。
【００３６】
Ｅｍａｘは、デマンド時限において消費電力量の上限となるデマンド値を示す。Ｅ＿ｎは、現デマンド時限において、ｎ回目の電力量の計測値を示す。Ｅｃは、期間目標値を示す。Ｅｃは、たとえば、Ｅｃ＝Ｅｍａｘ×ｔ＿ｎ／Ｔｄで求められる。Ｍは、残り電力量と比較する電力量閾値である。
【００３７】
Ａは、ＥｍａｘからＥ＿ｎを引いた残り電力量を示す。Ｂは、ｎ−１回目に計測した電力量Ｅ＿（ｎ−１）からＥ＿ｎまでの単位時間当たりの電力量の変化量である。Ｂは、たとえば、Ｂ＝（Ｅ＿ｎ−Ｅ＿（ｎ−１））／（Ｔ＿ｎ−Ｔ＿（ｎ−１））で求められる。Ｃは、ＥｃからＥ＿ｎを引いた電力量を示す。
【００３８】
（電力制御支援装置１０１の機能構成）
次に、電力制御支援装置１０１の機能構成について説明する。図６は、電力制御支援装置の機能構成例を示すブロック図である。電力制御支援装置１０１は、取得部６０１と、第１の算出部６０２と、第３の算出部６０３と、第２の算出部６０４と、出力部６０５と、を含む。制御部となる取得部６０１〜出力部６０５は、記憶装置に記憶されたプログラムをＣＰＵ３０１が実行することにより、取得部６０１〜出力部６０５の機能を実現する。記憶装置とは、具体的には、たとえば、図３に示したＲＯＭ３０２、ＲＡＭ３０３、磁気ディスク３０５などである。または、ＩＦ３０６を経由して他のＣＰＵが実行することにより、取得部６０１〜出力部６０５の機能を実現してもよい。
【００３９】
取得部６０１は、デマンド時限Ｔｄの開始時刻Ｔ＿ｏから、デマンド時限内の第１の時刻Ｔ＿（ｎ−１）から取得初期時間間隔Ｔｓが経過した第２の時刻Ｔ＿ｎまでの期間に消費された電力量の計測値Ｅ＿ｎを取得する。たとえば、取得部６０１は、開始時刻となる１２：００：００から、第１の時刻となる１２：０１：００から第２の時刻Ｔ＿ｎまでの期間に消費された電力量の計測値Ｅ＿ｎを取得する。
【００４０】
また、取得部６０１は、計測器２１１や計測器２１２に取得要求を行って、計測値を取得してもよい。または、電力制御支援装置１０１が、計測器２１１や計測器２１２が取得初期時間間隔Ｔｓにて通知してきた計測値を電力量計測値テーブル４０１に格納しておき、取得部６０１は、電力量計測値テーブル４０１から計測値を取得してもよい。また、取得部６０１は、過去の計測値Ｅ＿ｉ、過去の取得時刻Ｔ＿ｉ（ｉ＝１、…、ｎ）を取得してもよい。取得部６０１の機能により、電力制御支援装置１０１は、取得時間間隔の算出契機を検出することができる。なお、取得された計測値は、ＲＡＭ３０３、磁気ディスク３０５などの記憶領域に記憶される。
【００４１】
第１の算出部６０２は、デマンド時限Ｔｄに消費される電力量が下回るべきデマンド値Ｅｍａｘを記憶する記憶部を参照して、デマンド時限Ｔｄと期間ｔ＿ｎとデマンド値Ｅｍａｘとに基づいて、期間に消費される電力量が下回るべき期間目標値Ｅｃを算出する。記憶部は、たとえば、ＲＡＭ３０３、磁気ディスク３０５などである。たとえば、第１の算出部６０２は、期間目標値Ｅｃを、下記（１−１）式に従って算出する。
【００４２】
Ｅｃ＝Ｅｍａｘ×ｔ＿ｎ／Ｔｄ  …（１−１）
【００４３】
第１の算出部６０２は、（１−１）式を用いると、デマンド時限中に消費する電力が常に一定になるような目標値を算出することになる。また、算出部６０２は、下記（１−２）式に従って算出してもよい。
【００４４】
Ｅｃ＝（Ｅｍａｘ／２）×ｔ＿ｎ／Ｔｄ＋Ｅｍａｘ／２  …（１−２）
【００４５】
第１の算出部６０２が（１−２）式に従って算出すると、デマンド時限の開始時刻の期間目標値がＥｍａｘ／２と算出され、デマンド時限の終了時刻の期間目標値がＥｍａｘと算出される。また、第１の算出部６０２は、下記（１−３）式に従っても算出してもよい。
【００４６】
Ｅｃ＝−Ｅｍａｘ／Ｔｄ＾２×（ｔ＿ｎ−Ｔｄ）＾２＋Ｅｍａｘ  …（１−３）
【００４７】
第１の算出部６０２が（１−３）式に従って算出すると、期間目標値が描く曲線は、デマンド時限の開始時刻の期間目標値が０となり、デマンド時限の終了時刻を頂点とし、終了時刻の期間目標値がＥｍａｘとなる放物線となる。取得部６０１の機能により、電力制御支援装置１０１は、各時刻に対応する目標値を算出することができる。なお、算出された期間目標値は、ＲＡＭ３０３、磁気ディスク３０５などの記憶領域に記憶される。
【００４８】
第３の算出部６０３は、取得部６０１が計測値Ｅ＿ｎを取得した場合、期間ｔ＿ｎと計測値Ｅ＿ｎに基づいて、第２の時刻以後の予測電力Ｗを算出する。たとえば、第３の算出部６０３は、下記（２−１）式に従って、予測電力Ｗを算出する。
【００４９】
Ｗ＝Ｅ＿ｎ／ｔ＿ｎ  …（２−１）
【００５０】
また、第３の算出部６０３は、取得部６０１によって取得した、一つ前の計測値Ｅ＿（ｎ−１）と取得時刻Ｔ＿（ｎ−１）を参照して、下記（２−２）式に従って、予測電力Ｗを算出してもよい。
【００５１】
Ｗ＝（Ｅ＿ｎ−Ｅ＿（ｎ−１））／（Ｔ＿ｎ−Ｔ＿（ｎ−１））  …（２−２）
【００５２】
また、第３の算出部６０３は、取得部６０１によって取得した、過去の計測値Ｅ＿ｉ、過去の取得時刻Ｔ＿ｉ（ｉ＝１、…、ｎ）を参照して、過去の最大値の電力を算出し、予測電力としてもよい。また、第３の算出部６０３は、過去の計測値と過去の取得時刻を参照して、電力の時系列モデルを作成し、予測電力Ｗを算出してもよい。また、第３の算出部６０３は、過去の計測値と過去の取得時刻を参照して、予め設定した長さの末尾データ列に類似する部分データ列を検出し、検出した部分データ列の次の電力を、予測電力Ｗとして算出してもよい。第３の算出部６０３により、予測電力を用いて、取得時間間隔の算出を、より実情にあった値にすることができる。なお、算出された予測電力は、ＲＡＭ３０３、磁気ディスク３０５などの記憶領域に記憶される。
【００５３】
第２の算出部６０４は、第１の算出部６０２によって算出された期間目標値Ｅｃと取得部６０１が取得した計測値Ｅ＿ｎと取得初期時間間隔Ｔｓとに基づいて、第２の時刻Ｔ＿ｎから電力量の新たな計測値Ｅ＿（ｎ＋１）を取得するまでの取得時間間隔Ｔを算出する。たとえば、第２の算出部６０４は、下記（３−１）式に従って取得時間間隔Ｔを算出してもよい。
【００５４】
Ｔ＝Ｔｓ×Ｅｃ／Ｅ＿ｎ  …（３−１）
【００５５】
また、第２の算出部６０４は、計測値Ｅ＿ｎが期間目標値Ｅｃより大きい場合、取得時間間隔Ｔを、取得初期時間間隔Ｔｓより短く算出してもよい。たとえば、第２の算出部６０４は、Ｅ＿ｎ＞Ｅｃとなる場合、下記（３−２）式に従って取得時間間隔Ｔを算出してもよい。
【００５６】
Ｔ＝Ｔｓ／（５−４（Ｅ＿ｎ−Ｅｃ）／Ｅｃ）  …（３−２）
【００５７】
また、第２の算出部６０４は、計測値が期間目標値より小さい場合、取得時間間隔Ｔを、取得初期時間間隔Ｔｓより長く算出してもよい。また、第２の算出部６０４は、第１の算出部６０４が算出した期間目標値Ｅｃと計測値Ｅ＿ｎとデマンド時限Ｔｄとデマンド値Ｅｍａｘと第３の算出部６０３が算出した予測電力Ｗに基づいて、取得時間間隔Ｔを算出してもよい。たとえば、第２の算出部６０４は、下記（３−３）式に従って取得時間間隔Ｔを算出してもよい。
【００５８】
Ｔ＝（Ｅ＿ｎ−Ｅｃ）／（Ｗ−（Ｅｍａｘ／Ｔｄ））  …（３−３）
【００５９】
第２の算出部６０４の機能により、電力制御支援装置１０１は、状況に応じた適切な取得時間間隔を算出できる。なお、算出された取得時間間隔は、ＲＡＭ３０３、磁気ディスク３０５などの記憶領域に記憶される。
【００６０】
出力部６０５は、算出した取得時間間隔を出力する。たとえば、出力部６０５は、取得時間間隔Ｔを電力制御支援装置１０１の記憶領域に出力する。また、出力部６０５は、取得時間間隔Ｔを計測器２１１や計測器２１２に出力してもよい。たとえば、取得時間間隔Ｔを受け付けた計測器２１１、計測器２１２は、取得時間間隔Ｔの満了後に計測値を電力制御支援装置１０１に送信してもよい。
【００６１】
図７は、期間目標値を判断基準とした電力使用制限の一例を示す説明図である。グラフ７０１では、電力使用制限の範囲を示している。たとえば、点Ｐ＿１にて、計測値Ｅ＿１が期間目標値Ｅｃ＿１より大きいため、電力制御支援装置１０１は、電力制御すると判断し、電力制御装置２０１に制御要求を行う。また、点Ｐ＿２にて、計測値Ｅ＿２が期間目標値Ｅｃ＿２より小さいため、電力制御支援装置１０１は、電力制御を解除すると判断し、電力制御装置２０１に制御解除要求を行う。結果、Ｔ＿１からＴ＿２までが電力使用制限の時間となる。
【００６２】
図８は、期間目標値を用いた取得時間間隔の算出例を示す説明図である。グラフ８０１は、ｎ回目の計測量と計測時刻の点Ｐ＿ｎ（Ｔ＿ｎ、Ｅ＿ｎ）の近傍を示す。グラフ８０１の横軸は、時刻を示す。グラフ８０１の縦軸は、電力量を示す。線８０２は、各時刻における期間目標値を示した線である。線８０２の傾きは、Ｗｄ＝Ｅｍａｘ／Ｔｄにて算出できる。また、線８０３は、ｎ回目の電力量の計測後の予測電力がＷであった場合の電力量を示した線である。このとき、電力制御支援装置１０１は、下記（４−１）式を用いて取得時間間隔Ｔを算出する。
【００６３】
Ｔ＝Ｃ／（γ（Ｗ−Ｗｄ））  …（４−１）
【００６４】
なお、γは、１以上の定数である。γは、電力制御システム２００の利用者が自由に設定可能な値である。たとえば、図８の例では、γ＝４の場合の取得時間間隔の例を示す。このように、電力制御支援装置１０１が電力量の変化が大きい場合でも適切な取得時間間隔Ｔを算出できるため、電力制御システム２００は、電力使用制限を弱くしたり電力量の制限時間を短くしたりできる。次に、図９〜図１２を用いて、予測電力Ｗの第１〜第４の算出処理を用いた取得時間間隔の算出例の説明を行う。
【００６５】
図９は、第１の電力算出処理を用いた取得時間間隔の算出例を示す説明図である。電力算出処理の第１の方法は、予測電力Ｗを１つ前の計測時刻から現在の計測時刻までの電力を用いて算出する方法である。グラフ９０１は、ｎ−１回目の計測量と計測時刻を示すＰ＿（ｎ−１）（Ｔ＿（ｎ−１）、Ｅ＿（ｎ−１））とＰ＿ｎ（Ｔ＿ｎ、Ｅ＿ｎ）の近傍を示す。グラフ９０１の横軸は、時刻を示す。グラフ９０１の縦軸は、電力量を示す。電力制御支援装置１０１は、下記（５−１）式を用いて予測電力Ｗを算出する。
【００６６】
Ｗ＝（Ｅ＿ｎ−Ｅ＿（ｎ−１））／（Ｔ＿ｎ−Ｔ＿（ｎ−１））  …（５−１）
【００６７】
このように、電力制御支援装置１０１は、電力量が急速に増加するケースにおいても適切な取得時間間隔Ｔを算出できるため、電力制御システム２００は、電力使用制限を弱くしたり、また、制限時間を短くしたりできる。
【００６８】
図１０は、第２の電力算出処理を用いた取得時間間隔の算出例を示す説明図である。電力算出処理の第２の方法は、予測電力Ｗを、過去の最大電力に設定する方法である。図１０の（Ａ）では、各時刻における電力を算出する方法を示している。グラフ１００１の横軸は、時刻を示す。グラフ１００１の縦軸は、電力量を示す。たとえば、ｉ番目に計測された際の消費電力は、下記（６−１）の式にて算出できる。
【００６９】
Ｗ＿ｉ＝（Ｅ＿（ｉ＋１）−Ｅ＿ｉ）／（Ｔ＿（ｉ＋１）−Ｔ＿ｉ）  （ｉ＝１，…，ｎ−１）  …（６−１）
【００７０】
続けて、電力制御支援装置１０１は、下記（６−２）式を用いて、予測電力Ｗを算出する。
【００７１】
Ｗ＝ｍａｘ（Ｗ＿１，…，Ｗ＿（ｎ−１））  …（６−２）
【００７２】
関数ｍａｘ（）は、引数の最大値を返す関数である。図１０（Ｂ）にて、グラフ１００２は、Ｗ＿１〜Ｗ＿（ｎ−１）のうち、最大となる電力を示している。グラフ１００２の横軸は、時刻を示す。グラフ１００２の縦軸は、電力量を示す。グラフ１００２では、時刻Ｔ＿ａにて電力が最大となっていることを示す。
【００７３】
図１０の（Ｃ）で示すグラフ１００３は、過去の最大電力を用いて取得時間間隔を算出している例を示す。グラフ１００３の横軸は、時刻を示す。グラフ１００３の縦軸は、電力量を示す。このように、電力制御支援装置１０１は、過去の最大電力を用いて取得時間間隔を算出することにより、電力制御システム２００は、突然の電力量急増が起きる場合でも適切な取得時間間隔Ｔを算出でき、電力使用制限を弱くしたり、制限時間を短くしたりできる。
【００７４】
図１１は、第３の電力算出処理を用いた取得時間間隔の算出例を示す説明図である。電力算出処理の第３の方法は、予測電力Ｗを、時系列モデルから推定する方法である。図１１の（Ａ）で示すグラフ１１０１は、時間ｄｔごとの電力の時系列Ｗｐを示すグラフである。電力制御支援装置１０１は、下記（７−１）式を用いて、過去の計測値（Ｔ＿ｉ、Ｅ＿ｉ）（ｉ＝１，…，ｎ）から、時間ｄｔごとの電力の時系列Ｗｐ＿１，…Ｗｐ＿ｔ，…，Ｗｐ＿（ｎｔ−１）  （ｔ＝１，…，ｎｔ−１）を算出する。
【００７５】
Ｗｐ＿ｔ＝（Ｅ＿（ｊ＋１）−Ｅ＿ｊ）／（Ｔ＿（ｊ＋１）−Ｔ＿ｊ）  …（７−１）
【００７６】
ただし、（７−１）の変数は、下記（７−２）式、（７−３）式、（７−４）式に従う。
【００７７】
Ｔ＿ｊ≦Ｔ＿１＋ｄｔ×（ｔ−１）＜Ｔ＿（ｊ＋１）  …（７−２）
ｄｔ＝ｍｉｎ（Ｔ＿２−Ｔ＿１，…，Ｔ＿（ｉ＋１）−Ｔ＿ｉ，…，Ｔ＿（ｎｔ−１）−Ｔ＿（ｎｔ−２））  …（７−３）
ｎｔ＝（Ｔ＿ｎ−Ｔ＿１）／ｄｔ  …（７−４）
【００７８】
ただし、関数ｍｉｎ（）は、引数の最小値を返す関数である。続いて、電力制御支援装置１０１は、時系列Ｗｐ＿ｔから、時系列モデルを作成する。時系列モデルは、たとえば、ＡＲＭＡ（ＡｕｔｏＲｅｇｒｅｓｓｉｖｅ  Ｍｏｖｉｎｇ  Ａｖｅｒａｇｅ）モデルである。以下にＡＲＭＡを用いた例として、（７−５）式を示す。
【００７９】
Ｗｐ＿ｔ＝ｍ＋Σ（φ＿ｉ×Ｗｐ＿（ｔ−ｉ））＋ａ＿ｔ＋Σ（θ＿ｊ×ａ＿（ｔ−ｊ））  …（７−５）
【００８０】
ｍは、電力の平均値である。φとθは、重みである。また、ａ＿ｔは、下記（７−６）の関係式に従う。
【００８１】
ａ＿ｔ〜Ｎ（０，σ＾２）  …（７−６）
【００８２】
ただし、σは標準偏差を示し、Ｎ（）は、正規分布を示す。次に、図１１の（Ｂ）で示すグラフ１１０２は、ＡＲＭＡを用いて、予測電力Ｗｐ＿ｎｔを算出したグラフである。また、図１１の（Ｃ）で示すグラフ１１０３は、ＡＲＭＡを用いて取得時間間隔を算出している例を示す。このように、電力制御支援装置１０１が時系列モデルから電力を予測することにより、電力制御システム２００は、電力量変化に強い規則性がある場合にも適切な取得時間間隔Ｔを算出でき、電力使用制限を弱くしたり、制限時間を短くしたりできる。
【００８３】
図１２は、第４の電力算出処理を用いた取得時間間隔の算出例を示す説明図である。電力算出処理の第４の方法は、予測電力Ｗを、過去の電力時系列の類似した部分から算出する方法である。電力制御支援装置１０１は、（７−１）式を用いて、過去の計測値（Ｔ＿ｉ、Ｅ＿ｉ）（ｉ＝１，…，ｎ）から電力の時系列Ｗｐ＿ｔ（ｔ＝１，…，ｎｔ−１）を求める。続いて、電力制御支援装置１０１は、時系列Ｗｐ＿ｔについて予め設定した長さｕの末尾データ列Ｗｐ＿（ｎｔ−ｕ），…，Ｗｐ＿（ｎｔ−１）との距離Ｄ＿ｖが最小となる部分データ列Ｗｐ＿（ｎｔ−ｖ−ｕ），…，Ｗｐ＿（ｎｔ−ｖ−１）（ｖ＞０）を求める。ここで、距離Ｄ＿ｖとは、２つのデータ列の違いの度合いを示す。電力制御支援装置１０１は、距離Ｄ＿ｖを、たとえば、下記（８−１）式にて求めてもよい。
【００８４】
Ｄ＿ｖ＝Σ（Ｗｐ＿（ｎ−ｖ−ｕ＋ｉ）−Ｗｐ＿（ｎ−ｕ＋ｉ））＾２  …（８−１）
【００８５】
図１２の（Ａ）は、グラフ１２０１上にて、（８−１）式を用いて最小のＤ＿ｖを求めた例を示す。電力制御支援装置１０１は、求めた部分データ列Ｗｐ＿（ｎ−ｖ−ｕ），…，Ｗｐ＿（ｎ−ｖ−１）の末尾Ｗｐ＿（ｎ−ｖ−１）のＷｐ＿ｔ内での次の値Ｗｐ＿（ｎ−ｖ）が、予測電力Ｗｐ＿ｎｔになると予測し、Ｗｐ＿ｎｔを予測電力Ｗとする。
【００８６】
図１２の（Ｂ）で示すグラフ１２０２は、最も類似した時系列から求めた電力を用いて取得時間間隔を算出している例を示す。このように、電力制御支援装置１０１は、電力量変化について過去似たような電力量変化が行われていれば、電力量変化が稀に発生するケースであっても適切な取得時間間隔Ｔを算出できる。したがって、電力制御システム２００は、電力使用制限を弱くしたり、制限時間を短くしたりできる。
【００８７】
図１３は、電力使用制限と電力使用制限解除が行われるタイミング例を示す説明図である。図１３で示すグラフ１３０１は、時刻と電力量のグラフの一部分を示す。グラフ１３０１の横軸は、時刻を示す。グラフ１３０１の縦軸は、電力量を示す。線１３０２は、期間目標値を示す線である。線１３０２の左上部分は、計測値が期間目標値を超過しており、電力量を制限すべき領域である。線１３０２の右下部分が、計測値が期間目標値を下回り、電力量を制限しなくてよい領域である。以下、電力量を制限すべき領域を「超過領域」と呼称する。また、電力量を制限しなくてよい領域を「安全領域」と呼称する。
【００８８】
グラフ１３０１内の、点Ｐ＿１、点Ｐ＿２は、超過領域に位置している。時間間隔Ｏ＿１と時間間隔Ｏ＿２は、期間目標値からの超過検出遅れ時間を示す。また、点Ｐ＿１の時刻にて電力使用制限が行われた場合における、計測値が期間目標値を下回り安全領域に位置する２点を、点Ｐ＿１Ａ、点Ｐ＿１Ｂとして示す。
【００８９】
また、点Ｐ＿１の時刻にて電力使用制限が行われた場合における、電力使用制限後の計測値が描く線分をＬ＿１として示す。また、期間目標値の超過検出から安全検出までの電力使用制限時間を、点Ｐ＿１Ａでは、Ｄ＿１Ａとして示し、点Ｐ＿１Ｂでは、Ｄ＿１Ｂとして示す。また、点Ｐ＿１Ａにおける電力制御の解除の検出遅れ時間を、Ｒ＿１Ａとして示し、点Ｐ＿１Ｂにおける電力制御の解除の検出遅れ時間を、Ｒ＿１Ｂとして示す。
【００９０】
また、点Ｐ＿２の時刻にて電力使用制限が行われた場合における、電力使用制限後の制限内容が、点Ｐ＿１の時刻にて電力使用制限後に行われた制限内容と同一の場合の計測値が描く線分をＬ＿２Ａとして示す。さらに、点Ｐ＿２の時刻にて線分Ｌ＿２Ａとなるように電力使用制限が行われた場合における、計測値が期間目標値を下回り安全領域に位置する点を、点Ｐ＿２Ａとして示す。また、点Ｐ＿２Ａにおける、期間目標値の超過検出から安全検出までの電力使用制限時間を、Ｄ＿２Ａとして示す。また、点Ｐ＿２Ａにおける電力制御の解除の検出遅れ時間を、Ｒ＿２Ａとして示す。
【００９１】
また、点Ｐ＿２の時刻にて電力使用制限が行われた場合における、電力使用制限後の制限内容が、点Ｐ＿１の時刻にて電力使用制限後に行われた制限内容より強い制限を行った場合の計測値が描く線分をＬ＿２Ｃとして示す。さらに、点Ｐ＿２の時刻にて線分Ｌ＿２Ｃとなるように電力使用制限が行われた場合における、計測値が期間目標値を下回り安全領域に位置する点を、点Ｐ＿２Ｃとして示す。また、点Ｐ＿２Ｃにおける、期間目標値の超過検出から安全検出までの電力使用制限時間を、Ｄ＿２Ｃとして示す。また、点Ｐ＿２Ｃにおける電力制御の解除の検出遅れ時間を、Ｒ＿２Ｃとして示す。
【００９２】
電力使用制限の制限内容がＬ＿１とＬ＿２Ａが示すように同一となる場合、超過検知時間が短いＯ＿１の方がＯ＿２より、グラフ１３０１上のＤ＿１Ａ＜Ｄ＿２Ａから分かるように、電力使用制限時間が短くなる。
【００９３】
グラフ１３０１上のＤ＿２Ｃ＜Ｄ＿２Ａから分かるように、超過検出が遅れた場合に、電力使用制限時間を短縮するには、電力制御システム２００は、電力使用制限を強くすることになる。電源オフ対象機器数が多いなど、電力制御システム２００が電力使用制限を強くした場合、計測値が描く線分の傾きは水平に近づく。たとえば、電力制御システム２００が全電源をオフにした場合、計測値が描く線分は、時刻軸と平行になる。このように、超過検出が遅れると、電力使用制限を強くすることになるため、超過検出を早期に行えると、電力使用制限を弱くすることができる。
【００９４】
また、グラフ１３０１上でのＲ＿１Ａ＜Ｒ＿１Ｂとなる大小関係のように、期間目標値を下回ったことを早期に検出できた場合、グラフ１３０１上のＤ＿１Ａ＜Ｄ＿１Ｂとなる大小関係が示すように、電力使用制限時間を短くすることができる。次に、図１４〜図１７にて、電力制御システム２００のフローチャートを示す。
【００９５】
図１４は、電力制御システムの全体の処理手順の一例を示すフローチャートである。計測器２１１、計測器２１２は、電力量を計測する（ステップＳ１４０１）。次に、計測器２１１、計測器２１２は、電力量の計測値と時刻を記録する（ステップＳ１４０２）。記録先は、計測器２１１、計測器２１２の記憶領域でもよいし、計測器２１１、計測器２１２が、電力制御支援装置１０１に電力量の計測値と時刻とを送信した結果、電力制御支援装置１０１内の電力量計測値テーブル４０１に記録されてもよい。
【００９６】
続けて、電力制御支援装置１０１は、取得時間間隔Ｔを算出する（ステップＳ１４０３）。ステップＳ１４０３の処理の詳細は、図１５にて後述する。次に、電力制御装置２０１は、機器の電力を制御する（ステップＳ１４０４）。ステップＳ１４０４の処理について、電力制御装置２０１は、たとえば、電力制御支援装置１０１から電力使用制限の要求を受け付けた場合、機器の電力を制限するように制御する。また、電力制御装置２０１は、電力制御支援装置１０１から電力使用制限解除の要求を受け付けた場合、機器の電力の制限を解除するように制御する。
【００９７】
また、電力制御装置２０１は、電力制御支援装置１０１が算出した取得時間間隔Ｔが取得初期時間間隔Ｔｓより小さい場合、機器の電力を制限するように制御してもよい。また、電力制御装置２０１は、取得時間間隔Ｔが取得初期時間間隔Ｔｓより大きく、かつ、電力使用制限が行われている場合、機器の電力の制限を解除するように制御してもよい。
【００９８】
ステップＳ１４０４の実行後、電力制御システム２００は、時間Ｔ待機する（ステップＳ１４０５）。時間Ｔ経過後、電力制御システム２００は、ステップＳ１４０１の処理に移行する。電力制御システムの全体の処理を実行することにより、電力制御システム２００は、状況に応じた適切な取得時間間隔にて、計測値を取得できる。
【００９９】
図１５は、取得時間間隔算出処理手順の一例を示すフローチャートである。取得時間間隔算出処理は、取得時間間隔Ｔを算出する処理である。電力制御支援装置１０１は、最新計測時刻Ｔ＿ｎおよび最新計測値Ｅ＿ｎと、前時刻Ｔ＿（ｎ−１）および前計測値Ｅ＿（ｎ−１）とを取得する（ステップＳ１５０１）。次に、電力制御支援装置１０１は、残り電力量Ａが電力量閾値Ｍより小さいか否かを判断する（ステップＳ１５０２）。残り電力量Ａが電力量閾値Ｍより小さい場合（ステップＳ１５０２：Ｙｅｓ）、電力制御支援装置１０１は、Ｔをｆａ（Ａ）の戻り値に設定する（ステップＳ１５０３）。関数ｆａ（）は、Ａが小さいほど０以上の小さい値を返す関数であり、たとえば、下記（９−１）式に従う。
【０１００】
ｆａ（Ａ）＝Ｔｓ／（１０−５×Ａ／Ｍ）  …（９−１）
【０１０１】
残り電力量Ａが電力量閾値Ｍ以上である場合（ステップＳ１５０２：Ｎｏ）、電力制御支援装置１０１は、続けて、ｔ＿ｎが時刻閾値ｔｃより小さいか否かを判断する（ステップＳ１５０３）。ｔ＿ｎがｔｃより小さい場合（ステップＳ１５０４：Ｙｅｓ）、電力制御支援装置１０１は、電力Ｂが目標電力Ｗｄより大きいか否かを判断する（ステップＳ１５０５）。ＢがＷｄより大きい場合（ステップＳ１５０５：Ｙｅｓ）、電力制御支援装置１０１は、Ｔを、ｆｂ（Ｂ，Ｗｄ）の戻り値に設定する（ステップＳ１５０６）。関数ｆｂはＢとＷｄの差が大きいほど小さい値を返す関数であり、たとえば、下記（９−２）式に従う。
【０１０２】
ｆｂ（Ｂ，Ｗｄ）＝Ｔｓ／（Ｂ−Ｗｄ＋１）  …（９−２）
【０１０３】
ＢがＷｄ以下の場合（ステップＳ１５０５：Ｎｏ）、電力制御支援装置１０１は、Ｔを、取得初期時間間隔Ｔｓに設定する（ステップＳ１５０７）。ｔ＿ｎがｔｃ以上の場合（ステップＳ１５０４：Ｎｏ）、電力制御支援装置１０１は、期間目標値Ｅｃを算出する（ステップＳ１５０８）。続けて、電力制御支援装置１０１は、Ｅ＿ｎとＥｃとに基づいて、Ｔを算出する（ステップＳ１５０９）。ステップＳ１５０３、ステップＳ１５０６、ステップＳ１５０７、またはステップＳ１５０９の実行終了後、電力制御支援装置１０１は、Ｔを出力する（ステップＳ１５１０）。ステップＳ１５１０の終了後、電力制御支援装置１０１は、取得時間間隔算出処理を終了する。取得時間間隔算出処理を実行することにより、電力制御支援装置１０１は、状況に応じた適切な取得時間間隔を算出できる。
【０１０４】
図１６は、図１５にて示したＴの算出処理（ステップＳ１５０９）の詳細な一例を示すフローチャートである。電力制御支援装置１０１は、ＣをＥｃ−Ｅ＿ｎより求める（ステップＳ１６０１）。次に、電力制御支援装置１０１は、ＣがβＥｃより小さいか否かを判断する（ステップＳ１６０２）。βは、０から１の間で、電力制御システム２００の設計者、または電力制御システム２００の利用者によって予め設定する値である。ＣがβＥｃより小さい場合（ステップＳ１６０２：Ｙｅｓ）、電力制御支援装置１０１は、Ｔを、ｆｃ（Ｃ，βＥｃ）の戻り値に設定する（ステップＳ１６０３）。関数ｆｃ（）はＣがβＥｃより小さいほど小さな値を返す関数であり、たとえば、下記（１０−１）式に従ってよい。
【０１０５】
ｆｃ（Ｃ，βＥｃ）＝Ｔｓ／（５−４×Ｃ／（βＥｃ））  …（１０−１）
【０１０６】
ＣがβＥｃ以上である場合（ステップＳ１６０２：Ｎｏ）、電力制御支援装置１０１は、ＴをＴｓに設定する（ステップＳ１６０４）。ステップＳ１６０３、またはステップＳ１６０４の実行終了後、電力制御支援装置１０１は、図１６に示す処理を終了する。
【０１０７】
図１７は、図１５にて示したＴの算出処理（ステップＳ１５０９）の詳細な他の例を示すフローチャートである。電力制御支援装置１０１は、ＣをＥｃ−Ｅ＿ｎより求める（ステップＳ１７０１）。次に、電力制御支援装置１０１は、Ｃが０より大きいか否かを判断する（ステップＳ１７０２）。Ｃが０以下の場合（ステップＳ１７０２：Ｎｏ）、電力制御支援装置１０１は、Ｔを、ｆｃ（Ｃ，βＥｃ）の戻り値に設定する（ステップＳ１７０３）。Ｃが０より大きい場合（ステップＳ１７０２：Ｙｅｓ）、電力制御支援装置１０１は、予測電力Ｗを算出する（ステップＳ１７０４）。続けて、電力制御支援装置１０１は、Ｔを、Ｃ／（γ（Ｗ−Ｗｄ））の結果に設定する（ステップＳ１７０５）。ステップＳ１７０３、またはステップＳ１７０５の実行終了後、電力制御支援装置１０１は、図１７に示す処理を終了する。
【０１０８】
以上説明したように、電力制御支援装置１０１によれば、電力量の新たな計測値を取得するまでの時間間隔を、所定期間の目標値に基づく期間目標値および計測値に基づいて算出する。これにより、電力制御支援装置１０１は、取得時刻の状況に応じた細やかな電力制御が可能になる。期間目標値は、期間ｔ＿ｎが０からデマンド時限Ｔｄの間で、単調に増加すればどのような値でもよい。
【０１０９】
たとえば、電力制御支援装置１０１は、（１−１）式に従って期間目標値を算出してもよい。（１−１）式に従った場合、電力制御システム２００は、デマンド時限内で偏りなく電力を使用することができる。また、電力制御支援装置１０１は、（１−２）式や、（１−３）式に従って期間目標値を算出してもよい。（１−２）式や、（１−３）式に従った場合、電力制御システム２００は、デマンド時限前半では電力を多く消費でき、デマンド時限後半ではデマンド値を超えないような細やかな電力使用制限を行うことができる。
【０１１０】
また、電力制御支援装置１０１によれば、計測値が期間目標値より大きい場合、取得時間間隔を、取得初期時間より短く算出してもよい。計測値が期間目標値より大きいまま、電力を消費し続けるとデマンド値を超えてしまうため、電力制御装置２０１が電力制限を行うことになる。取得時間間隔を、取得初期時間より短く算出することにより、計測値が目標値を超えたという検出のタイミングと、計測値が目標値を下回ったという検出のタイミングとが早期になり電力使用制限を短くできるため、利用者の利便性の低下を抑制できる。
【０１１１】
また、電力制御支援装置１０１によれば、計測値が期間目標値より小さい場合、取得時間間隔を、取得初期時間より長く算出してもよい。計測値が期間目標値より小さい場合、余裕がある状況であるため、電力制御支援装置１０１は、取得時間間隔を取得初期時間間隔より長くすることにより、計測値を取得するためにかかる通信量を削減することができる。
【０１１２】
また、電力制御支援装置１０１によれば、予測電力を算出し、期間目標値と計測値とデマンド時限とデマンド値と予測電力にて取得時間間隔を算出してもよい。これにより、電力制御支援装置１０１は、計測値が期間目標値を超えると予測できるタイミングにて計測値を取得することになるため、計測値が期間目標値を超えた直後に検出することができる。
【０１１３】
なお、本実施の形態で説明した電力制御支援方法は、予め用意されたプログラムをパーソナル・コンピュータやワークステーション等のコンピュータで実行することにより実現することができる。本電力制御支援プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また本電力制御支援プログラムは、インターネット等のネットワークを介して配布してもよい。
【０１１４】
上述した実施の形態に関し、さらに以下の付記を開示する。
【０１１５】
（付記１）コンピュータに、
所定期間の開始時刻から、前記所定期間内の第１の時刻から所定時間が経過した第２の時刻までの期間に消費された電力量の計測値を取得し、
前記所定期間に消費される前記電力量が下回るべき目標値を記憶する記憶部を参照して、前記所定期間と前記期間と前記目標値とに基づいて、前記期間に消費される前記電力量が下回るべき期間目標値を算出し、
算出した前記期間目標値と前記計測値と前記所定時間とに基づいて、前記第２の時刻から前記電力量の新たな計測値を取得するまでの時間間隔を算出し、
算出した前記時間間隔を出力する、
処理を実行させることを特徴とする電力制御支援プログラム。
【０１１６】
（付記２）前記時間間隔を算出する処理は、
前記計測値が前記期間目標値より大きい場合、前記時間間隔を、前記所定時間より短く算出することを特徴とする付記１に記載の電力制御支援プログラム。
【０１１７】
（付記３）前記時間間隔を算出する処理は、
前記計測値が前記期間目標値より小さい場合、前記時間間隔を、前記所定時間より長く算出することを特徴とする付記１に記載の電力制御支援プログラム。
【０１１８】
（付記４）前記コンピュータに、
前記計測値を取得した場合、前記期間と前記計測値に基づいて、前記第２の時刻以後の予測電力を算出し、
前記時間間隔を算出する処理は、
算出した前記期間目標値と前記計測値と前記所定期間と前記目標値と算出した前記予測電力に基づいて、前記時間間隔を算出することを特徴とする付記１〜３のいずれか一つに記載の電力制御支援プログラム。
【０１１９】
（付記５）所定期間の開始時刻から、前記所定期間内の第１の時刻から所定時間が経過した第２の時刻までの期間に消費された電力量の計測値を取得する取得部と、
前記所定期間に消費される前記電力量が下回るべき目標値を記憶する記憶部を参照して、前記所定期間と前記期間と前記目標値とに基づいて、前記期間に消費される前記電力量が下回るべき期間目標値を算出する第１の算出部と、
前記第１の算出部によって算出された前記期間目標値と前記計測値と前記所定時間とに基づいて、前記第２の時刻から前記電力量の新たな計測値を取得するまでの時間間隔を算出する第２の算出部と、
前記第２の算出部によって算出された前記時間間隔を出力する出力部と、
を有することを特徴とする電力制御支援装置。
【０１２０】
（付記６）コンピュータが、
所定期間の開始時刻から、前記所定期間内の第１の時刻から所定時間が経過した第２の時刻までの期間に消費された電力量の計測値を取得し、
前記所定期間に消費される前記電力量が下回るべき目標値を記憶する記憶部を参照して、前記所定期間と前記期間と前記目標値とに基づいて、前記期間に消費される前記電力量が下回るべき期間目標値を算出し、
算出した前記期間目標値と前記計測値と前記所定時間とに基づいて、前記第２の時刻から前記電力量の新たな計測値を取得するまでの時間間隔を算出し、
算出した前記時間間隔を出力する、
処理を実行することを特徴とする電力制御支援方法。
【符号の説明】
【０１２１】
１０１  電力制御支援装置
６０１  取得部
６０２  第１の算出部
６０３  第３の算出部
６０４  第２の算出部
６０５  出力部
【図１】
0005915313.tif 000002
【図２】
0005915313.tif 000003
【図３】
0005915313.tif 000004
【図４】
0005915313.tif 000005
【図５】
0005915313.tif 000006
【図６】
0005915313.tif 000007
【図７】
0005915313.tif 000008
【図８】
0005915313.tif 000009
【図９】
0005915313.tif 000010
【図１０】
0005915313.tif 000011
【図１１】
0005915313.tif 000012
【図１２】
0005915313.tif 000013
【図１３】
0005915313.tif 000014
【図１４】
0005915313.tif 000015
【図１５】
0005915313.tif 000016
【図１６】
0005915313.tif 000017
【図１７】
0005915313.tif 000018